(57)【特許請求の範囲】
【請求項１】
サッシの上枠に取り付けられるサッシ用額縁であって、
前記上枠に沿って延ばされた底面部と、
該底面部の延在方向に直交する方向の端部から上方に延ばされるとともに、前記底面部の延在方向に沿って延ばされた側面部と、
前記底面部から上方に突出して設けられ、前記底面部の延在方向に沿って延ばされた第１のタッピングホール部と、
該第１のタッピングホール部において、前記側面部の方に突出された第１の突起部と、
前記側面部において、前記底面部の上方に突出して設けられ、前記底面部の延在方向に沿って延ばされた第２のタッピングホール部と、
該第２のタッピングホール部において、前記底面部の方に突出された第２の突起部と、
前記第１の突起部と前記底面部との間、および前記第２の突起部と前記底面部との間の隙間に挿入され、前記底面部の上面に載置された補強板と、
を備えることを特徴とするサッシ用額縁。
【請求項２】
前記補強板は、
被着部材を前記底面部の下方からねじ止めするための下地として用いられる請求項１に記載のサッシ用額縁。
【発明の詳細な説明】
【技術分野】
【０００１】
本発明は、サッシ用額縁に関する。
【背景技術】
【０００２】
従来、例えば、ねじ止めなどによって、枠部材に被着部材を取り付ける際、枠部材の内部に補強板である裏板を配置し、この裏板を下地として、ねじ止めすることが行われている。
例えば、特許文献１には、ドア枠の内部に設けられた離反抑止手段によって形成された裏板保持溝に裏板を挿入し、ドアを固定する蝶番をねじ止めするドア構造が記載されている。
【先行技術文献】
【特許文献】
【０００３】
【特許文献１】特開２００２−２３５４８３号公報
【発明の概要】
【発明が解決しようとする課題】
【０００４】
しかしながら、サッシの上枠に固定されるサッシ用額縁に上記のような従来技術を用いる場合には、以下のような問題があった。
サッシの上枠に固定されるサッシ用額縁の被着部材としては、例えば、ロールカーテン装置などの例を挙げることができる。このような被着部材は、サッシ用額縁の底面の下方からねじ止めする必要があるが、サッシ用額縁の底面には、長手方向に沿って複数のタッピングホールが形成されている。
このため、補強板としての裏板は、タッピングホールを避けて配置する必要があり、裏板の幅および配置位置に制約が生じていた。
このように裏板の幅および配置位置が制限されるため、裏板を下地として取り付ける被着部材の取付位置も制限されていた。
一方、複数のタッピングホールを跨ぐ幅を有する裏板を、これらタッピングホールの上部に配置し、タッピングホールを通して下方からねじ止めする構成も考えられる。しかし、この場合には、裏板とサッシ用額縁の底面とが、タッピングホールの高さだけ離れてしまうため、ねじ止めの際、ねじを締め込み過ぎやすくなる。このため、サッシ用額縁が歪むおそれがあるという問題がある。
【０００５】
本発明は、上記のような問題に鑑みてなされたものであり、補強板を底面部に載置する場合に、補強板の幅および配置位置の制約が低減されるとともに良好な補強を行うことができるサッシ用額縁を提供することを目的とする。
【課題を解決するための手段】
【０００６】
上記の課題を解決するために、本発明の第１の態様のサッシ用額縁は、サッシの上枠に取り付けられるサッシ用額縁であって、前記上枠に沿って延ばされた底面部と、該底面部の延在方向に直交する方向の端部から上方に延ばされるとともに、前記底面部の延在方向に沿って延ばされた側面部と、前記底面部から上方に突出して設けられ、前記底面部の延在方向に沿って延ばされた第１のタッピングホール部と、該第１のタッピングホール部において、前記側面部の方に突出された第１の突起部と、前記側面部において、前記底面部の上方に突出して設けられ、前記底面部の延在方向に沿って延ばされた第２のタッピングホール部と、該第２のタッピングホール部において、前記底面部の方に突出された第２の突起部と、前記第１の突起部と前記底面部との間、および前記第２の突起部と前記底面部との間の隙間に挿入され、前記底面部の上面に載置された補強板と、を備える構成とする。
【０００７】
上記サッシ用額縁によれば、第１のタッピングホール部が底面部に、第２のタッピングホール部が側面部に設けられるため、第１のタッピングホール部の第１の突起部と底面部の間、および第２のタッピングホール部の第２の突起部と底面部の間の隙間に、補強板を挿入して、補強板を底面部の上面に載置することができる。
第１のタッピングホール部と側面部との間は、その間に他のタッピングホール部が設けられていないため、他のタッピングホール部を跨ぐことなく、第１のタッピングホール部と側面部との間の全面を補強板の載置に用いることができる。
【０００８】
上記サッシ用額縁においては、前記補強板は、被着部材を前記底面部の下方からねじ止めするための下地として用いられることが好ましい。
この場合、底面部と重なる広幅の補強板を下地として用いることができるため、被着部材を堅固に固定することができる。
【発明の効果】
【０００９】
本発明のサッシ用額縁によれば、底面部の上面において第１のタッピングホール部と側面部との間に他のタッピングホール部を跨ぐことなく補強板を載置することができるため、補強板を底面部に載置する場合に、補強板の幅および配置位置の制約が低減されるとともに良好な補強を行うことができるという効果を奏する。
【図面の簡単な説明】
【００１０】
【図１】本発明の実施形態のサッシ用額縁が固定されるサッシの模式的な正面図である。
【図２】図１におけるＡ−Ａ断面図である。
【図３】図１におけるＢ−Ｂ断面図である。
【発明を実施するための形態】
【００１１】
以下では、本発明の実施形態について添付図面を参照して説明する。
本実施形態のサッシ用額縁について説明する。
図１は、本発明の実施形態のサッシ用額縁が固定されるサッシの模式的な正面図である。図２は、図１におけるＡ−Ａ断面図である。図３は、図１におけるＢ−Ｂ断面図である。
【００１２】
図１に本実施形態のサッシ用額縁が用いられる建築物１を示す。建築物１は、例えば、コンビニエンスストア等の建物に用いることができる。
建築物１は、正面に、上枠２（サッシの上枠）、上枠２と平行に延ばされた下枠４、および上枠２と下枠４とを連結する縦枠３等の枠材を含みフィックス窓を構成するサッシを備える。これらの枠材は、図示略の支持構造を介して図示略の躯体に支持されている。
図２に示すように、これら枠材には、パネル５が嵌め込まれている。パネル５を境にして、図示左側が室外、図示右側が室内になっている。
パネル５としては、例えば、ガラス、透明もしくは半透明樹脂板などを採用することができる。
図１に示すように、これらサッシの中央の開口部には、左右に開く一対のドア６が嵌め込まれている。
【００１３】
図３に、上枠２の近傍における室内側の断面構成を示す。
上枠２は、パネル５が嵌め込まれた上部から室内側に一定幅を有する枠体が、室内の上部の躯体９に沿って延ばされている。
上枠２の上部には、建築物１の躯体９に固定するための固定部２ａが延ばされている。固定部２ａは、ねじ１０によって躯体９に固定されている。
上枠２の室内側には、下面が平滑な底面部２ｃと、底面部２ｃにおける最も室内側の端部から上方に立ち上げられ、上枠２の延在方向（図示紙面奥行き方向）に延ばされた壁部からなる額縁連結部２ｂと、が形成されている。
【００１４】
上枠２の額縁連結部２ｂには、後述する上枠額縁１１の一端部を固定するための連結材７が固定されている。
連結材７は、上枠２に沿って延ばされ、延在方向に直交する断面が略Ｌ字状とされたアングル部材からなる。連結材７は、互いに直交する第１の板状部７ａおよび第２の板状部７ｂを備える。
連結材７の第１の板状部７ａは、額縁連結部２ｂに押し当てられた状態で、ねじ８により額縁連結部２ｂにねじ止めされている。
連結材７の第２の板状部７ｂは、底面部２ｃの下面よりもわずか上側となる位置で、額縁連結部２ｂから離れる水平方向に突き出されている。
【００１５】
上枠額縁１１（サッシ用額縁）は、上枠２の延在方向に沿って、略一定の断面形状で延ばされた枠材である。上枠額縁１１は、建築物１の室内において、上枠２を側方から覆うとともに、上枠２よりもさらに室内側に張り出す額縁構造を形成する部材である。
上枠額縁１１は、例えば、アルミニウム合金製の押し出し材で形成することができる。
【００１６】
上枠額縁１１の下面には、重量物を被着部材として取り付けることができる。例えば、建築物１のパネル５の室内側にロールカーテンを配置するような場合には、ロールカーテンを収容するロールカーテン装置２０（被着部材）を下方から取り付けることが可能である。
このため、上枠額縁１１の内部には、例えば金属板などによる補強板１４が配置されている。すなわち、補強板１４は、例えばロールカーテン装置２０などの重量物を固定するための下地として用いることができる。
補強板１４の形状は、上枠額縁１１を補強したり、下地として用いたりすることができる形状であれば、特に限定されない。図３に示す補強板１４の一例は、一定幅の矩形断面が、図示奥行き方向に上枠額縁１１と同程度の長さだけ延ばされた平板部材である。
【００１７】
上枠額縁１１は、底面部１１Ａ、係止部１１Ｂ、室内側側面部１１Ｃ、および上面部１１Ｄを備える。
これら底面部１１Ａ、係止部１１Ｂ、室内側側面部１１Ｃ（側面部）、および上面部１１Ｄは、上枠額縁１１の延在方向の全体にわたって形成されており、いずれも、上枠２の延在方向に沿って延ばされている。
以下、上枠額縁１１の構成について、上枠２に固定された状態における位置関係に基づいて説明する。このため、上枠額縁１１において、上枠２の延在方向に直交する方向の相対的な位置関係を表す場合に、特に断らない限り、上枠２に近い方（図３における左の方）を「室外側」、上枠２から離れる方（図３における右の方）を「室内側」と称する。すなわち、この場合の「室外側」は「室内」における相対的な位置関係を示している。
【００１８】
底面部１１Ａは、上枠２の底面部２ｃと整列した平面部を、上枠２よりも室内側に形成するため、上枠額縁１１の底部に設けられた板状部である。
底面部１１Ａの底面部下面１１ｂは、平滑な平面からなり、上枠２への底面部２ｃの下面と水平に整列している。
底面部１１Ａの上面には、室外側から室内側に向かって、係止部１１Ｂと底面タッピングホール部１２（第１のタッピングホール部）とが、この順に形成されている。
底面部１１Ａの最も室内側の端部には、上方に延びる室内側側面部１１Ｃが接続されている。
【００１９】
係止部１１Ｂは、額縁連結部２ｂに固定された連結材７の第２の板状部７ｂに、上枠額縁１１を係止するための形状部分であり、突起部１１ｃと、押え部１１ｄとを備える。
突起部１１ｃは、第２の板状部７ｂに下方から当接するための形状部分である。突起部１１ｃは、第２の板状部に重なる複数箇所において上枠額縁１１の延在方向（図３の図示奥行き方向）に沿って延ばされた突条で構成されている。
押え部１１ｄは、各突起部１１ｃ上に配置された第２の板状部７ｂの先端部を底面部１１Ａとの間で上方から覆って、底面部１１Ａとの間に挟持するように曲げられた板状部で構成されている。
【００２０】
底面タッピングホール部１２は、上枠額縁１１の延在方向の端部を固定するため上枠額縁１１の延在方向の全体にわたって延ばされた凸状部である。
底面タッピングホール部１２は、その内部に、延在方向に沿って延び、上方に開口するＵ字状の溝からなるタッピングホール１２ａが貫通されている。
底面タッピングホール部１２の室内側の上端部には、より室内側に位置する室内側側面部１１Ｃの方に向かって水平方向に突出された保持片部１２ｂ（第１の突起部）が形成されている。
保持片部１２ｂと底面部１１Ａとの間には、補強板１４が挿入可能な隙間があけられている。
保持片部１２ｂと底面部１１Ａとの間の隙間、および底面タッピングホール部１２の位置は、補強板１４が底面部１１Ａに沿って挿入可能となるように決めておく。このため、保持片部１２ｂは、底面タッピングホール部１２の上端部には限らず、底面部１１Ａとの間の適宜の位置に形成することができる。
【００２１】
底面タッピングホール部１２と室内側側面部１１Ｃとの間の底面部１１Ａの上面は、平滑な平面からなり、補強板１４を載置する載置面１１ａが形成されている。
底面部１１Ａには、載置面１１ａの範囲において、補強板１４をねじ止めするねじ１８を挿入するためのねじ穴が形成されている。
【００２２】
室内側側面部１１Ｃは、底面部１１Ａの最も室内側の端部から上方に向かって立ち上がる板状部であり、上枠額縁１１の延在方向の全体にわたって延ばされている。
室内側側面部１１Ｃにおいて、室外側に向いた内面には、底面部１１Ａの上方に突出された側面タッピングホール部１３（第２のタッピングホール部）が設けられている。
【００２３】
側面タッピングホール部１３は、上枠額縁１１の延在方向の端部を固定するため上枠額縁１１の延在方向の全体にわたって延ばされた凸状部である。
側面タッピングホール部１３は、その内部に、延在方向に沿って延び、室外側に開口するＵ字状の溝からなるタッピングホール１３ａが貫通されている。側面タッピングホール部１３の突出方向の先端部には、底面部１１Ａ側の先端部から、底面部１１Ａの方に向かって鉛直方向に突出された保持片部１３ｂ（第２の突起部）が形成されている。
保持片部１３ｂの突出方向の先端部と底面部１１Ａの載置面１１ａとの間には、補強板１４が底面部１１Ａに沿って挿入可能な隙間があけられている。このため、保持片部１３ｂは、底面タッピングホール部１３の先端部には限らず、室内側側面部１１Ｃとの間の適宜の位置に形成することができる。
【００２４】
上面部１１Ｄは、室内側側面部１１Ｃの上端部から室外側に向かって水平方向に延ばされた板状部である。
【００２５】
このような構成の上枠額縁１１を、建築物１に固定するには、まず、載置面１１ａと、保持片部１２ｂおよび保持片部１３ｂとの間に形成された隙間に、補強板１４を挿入し、補強板１４を載置面１１ａに載置する。
このとき、補強板１４の幅方向の両端部は、底面タッピングホール部１２の側面と、室内側側面部１１Ｃとによってガイドされ、補強板１４の上面は、保持片部１２ｂ、１３ｂによってガイドされる。このため、上枠額縁１１においては、補強板１４が円滑に挿入される。
【００２６】
載置面１１ａに対する補強板１４の位置決めを行ったら、底面部１１Ａに形成されたねじ穴を通して、下方からねじ１８を挿入し、補強板１４にねじ込む。これにより、補強板１４の表面が、載置面１１ａに重なった状態で、底面部１１Ａに補強板１４が固定される。
【００２７】
次に、額縁連結部２ｂに固定された連結材７の第２の板状部７ｂの先端部に、係止部１１Ｂの押え部１１ｄを係止し、係止部１１Ｂの突起部１１ｃを第２の板状部７ｂの下面に当接させる。このとき、上面部１１Ｄが、アングル１５の上面に重なるようにする。これにより、上枠額縁１１が連結材７およびアングル１５に係止される。
このような係止状態では、上枠額縁１１の室外側の端部は、連結材７に沿って位置決めされ、底面部１１Ａが、上枠２の底面部２ｃと整列する。
【００２８】
次に、隣り合う突起部１１ｃの中間部の位置であって、第２の板状部７ｂと対向する位置において、下方から底面部１１Ａにねじ１９を挿入し、ねじ１９を第２の板状部７ｂにねじ込む。これにより、底面部１１Ａが連結材７に固定される。
また、上面部１１Ｄの上方からねじ１６を挿入し、ねじ１６を第２の板状部７ｂにねじ込む。これにより、上面部１１Ｄがアングル１５に固定される。
このようにして、上枠額縁１１が、上枠２に固定される。
上枠額縁１１の端部は、縦枠３に接続された適宜の固定部材にねじを挿入して、タッピングホール１２ａ、１３ａにねじ込んで固定する。
【００２９】
このようにして固定された上枠額縁１１は、底面部１１Ａ上に補強板１４がねじ止めされているため、補強板１４によって底面部１１Ａが補強される。
補強板１４は、例えば、ロールカーテン装置２０などの重量物を固定する下地として用いることが可能である。
例えば、底面部１１Ａの底面部下面１１ｂに配置したロールカーテン装置２０の取り付け穴に、下方からねじ２１を挿入し、ねじ２１を底面部１１Ａおよび補強板１４にねじ込むことによって、ロールカーテン装置２０を固定することができる。
【００３０】
本実施形態の上枠額縁１１によれば、側面タッピングホール部１３を室内側側面部１１Ｃから、底面部１１Ａの上方に突出するように設けている。これにより、上枠額縁１１の端部を固定するため、水平方向に離間した２箇所に、タッピングホール１２ａ、１３ａを設けることができる。
その際、側面タッピングホール部１３は、底面部１１Ａの上方に突出しているため、底面部１１Ａの上面において、底面タッピングホール部１２と室内側側面部１１Ｃとの間には、平滑な載置面１１ａが形成されている。
この結果、上枠額縁１１では、側面タッピングホール部１３が邪魔になることなく、また側面タッピングホール部１３の上を跨ぐことなく、底面タッピングホール部１２と室内側側面部１１Ｃとの間の全面にわたって補強板１４を載置することができる。
このため、上枠額縁１１では、底面タッピングホール部１２と室内側側面部１１Ｃとの間に他のタッピングホール部が形成されている場合に比べて、より広幅の補強板１４を載置することができる。
これにより、上枠額縁１１に用いる補強板１４では、側面タッピングホール部１３を避けるための幅および配置位置の制約が低減される。
このため、上枠額縁１１によれば、補強板１４を下地として用いる場合に、ロールカーテン装置２０等の被着部材の取付位置の制限を低減することができる。
【００３１】
なお、上記の実施形態の説明では、補強板１４が平板部材の場合の例で説明したが、補強板１４の断面形状は平板には限定されない。
補強板１４の断面形状は、保持片部１２ｂ、１３ｂと載置面１１ａとの間の隙間に挿入できる適宜の形状を採用することができる。例えば、補強板１４の厚さが、保持片部１２ｂ、１３ｂで挟まれる領域以外で、保持片部１２ｂ、１３ｂよりも上方に突出するように変化していてもよい。
また、保持片部１２ｂ、１３ｂと、載置面１１ａとの間の隙間は、保持片部１２ｂ、１３ｂの位置を変えることで適宜変更することができる。
特に、保持片部１３ｂの先端部と載置面１１ａとの距離は、側面タッピングホール部１３の位置を適宜設定したり、保持片部１３ｂの突出量を変えたりすることにより、室内側側面部１１Ｃの高さの範囲で自由に設定することができる。
このため、保持片部１３ｂの先端部と載置面１１ａとの隙間の大きさの自由度は、保持片部１２ｂと１１ａとの隙間の大きさの自由度よりも大きい。
例えば、補強板１４を、載置面１１ａに沿う平板部と、室内側側面部１１Ｃの内面に沿う平板部とからなる断面Ｌ字状の部材で構成してもよい。
さらに、補強板１４の長さも、上枠額縁１１と同程度とすることは必須ではなく、上枠額縁１１よりも短くして、上枠額縁１１を部分的に補強するようにしてもよい。
【００３２】
上記の実施形態の説明では、補強板１４がねじ１８によって底面部１１Ａに固定されている場合の例で説明したが、補強板１４をねじ１８によって固定することは必須ではない。
【００３３】
上記実施形態では、上枠額縁１１が、底面タッピングホール部１２と側面タッピングホール部１３とを有する場合の例で説明したが、タッピングホール部の個数は、２つには限定されない。例えば、係止部１１Ｂと底面タッピングホール部１２との間、および側面タッピングホール部１３と上面部１１Ｄとの間に、他のタッピングホール部を適宜数設けることが可能である。
【００３４】
上記の実施形態で説明した構成要素は、本発明の技術的思想の範囲で適宜組み合わせたり、削除したりして実施することができる。
【符号の説明】
【００３５】
１  建築物
２  上枠（サッシの上枠）
１１  上枠額縁（サッシ用額縁）
１１ａ  載置面
１１Ａ  底面部
１１Ｂ  係止部
１１Ｃ  室内側側面部（側面部）
１２  底面タッピングホール部（第１のタッピングホール部）
１２ｂ  保持片部（第１の突起部）
１３  側面タッピングホール部（第２のタッピングホール部）
１３ｂ  保持片部（第２の突起部）
１４  補強板
２０  ロールカーテン装置（被着部材）
【図１】
0006297961.tif 000002
【図２】
0006297961.tif 000003
【図３】
0006297961.tif 000004